(57)【要約】      （修正有）【課題】プラントの運転に使用する定義情報をオペレータ専用データベース（お気に入り）として利用する。【解決手段】プラント運転に用いる監視操作装置であって、監視操作装置に付随する定義データ１１と、オペレータごとに定義されたオペレータ専用データベース領域と、オペレータをログイン認証する認証手段と、認証されたオペレータの専用データベースを上位サーバーから前記オペレータ専用データベース領域に落し込むダウンロード手段と、落し込んだオペレータ専用データベースと前記監視操作装置に付随する定義データとを定義日時を示すタイムスタンプでデータを比較する比較手段と、を備えて、前記オペレータ専用データベースのタイムスタンプよりも前記監視操作装置に付随する定義データに新しいものがある場合にオペレータに警告を表示する。【選択図】図１
2016081268.tif 000002
【特許請求の範囲】
【請求項１】
プラント運転に用いる監視操作装置であって、
前記監視操作装置に付随する定義データと、
オペレータごとに定義されたオペレータ専用データベース領域と、
前記オペレータをログイン認証する認証手段と、
前記認証されたオペレータの専用データベースを上位サーバーから前記オペレータ専用データベース領域に落し込むダウンロード手段と、
この落し込んだオペレータ専用データベースと前記監視操作装置または前記サーバーから読み出した前記監視操作装置に付随する定義データとを、定義日時を示すタイムスタンプによりそれらデータを比較する比較手段と、を備えて、
前記オペレータ専用データベースのタイムスタンプよりも前記監視操作装置に付随する定義データに新しいものがある場合に、前記オペレータに警告を表示することを特徴とする監視操作装置。
【請求項２】
請求項１に記載の監視操作装置において、さらに、
前記オペレータ専用データベースが更新された場合に、このオペレータ専用データベースを前記監視操作装置から前記サーバーに格納するアップロード手段を備える監視操作装置。
【発明の詳細な説明】
【技術分野】
【０００１】
この発明は、プラントの運転にオペレータが利用することができる監視操作装置に関し、特にそのヒューマンインタフェースにかかる発明である。
【背景技術】
【０００２】
分散型制御システムは、通信ネットワークに単体または複数の監視操作装置がノードとして接続されており、その監視操作装置を複数のオペレータで使用している。監視操作装置には、運転に必要な情報（グループ情報、トレンド情報、ユーザグラフィック画面など）が登録されており、全オペレータで共通で使用している設定項目もあれば、オペレータ特有に異なる設定で使用している項目もある。現行の監視操作装置ではグループ情報、トレンド情報、ユーザグラフィック画面を複数定義できるが、各設定項目は監視操作装置ノードに付随するため、各オペレータは自分が監視/運転に必要な設定を登録番号（または登録名称）で覚えておき適宜使用している。
【０００３】
特許文献1にある発明は、監視制御装置に対する効率的な操作を可能とすることができるフィールド制御システムを提供する。そこでは、プラントに分散配置されたフィールドコントローラと、制御バスを介して前記フィールドコントローラとの間で通信を行うことにより、前記プラントの監視制御を行う監視制御装置と、前記監視制御装置に対する操作を受け付ける操作端末装置とに分割して、前記操作端末装置は、前記操作端末装置に対する操作者を認証する認証手段と、認証された前記操作者のアクセス権限の範囲を前記監視制御装置ごとに示すアクセス情報を取得するアクセス情報取得手段と、を備え、前記操作端末装置は、前記アクセス情報取得手段により取得された前記アクセス情報に従って前記アクセス権限がある場合に前記操作を受け付ける技術が開示されている。
【先行技術文献】
【特許文献】
【０００４】
【特許文献１】特開２０１１−１１８５７３号公報
【発明の概要】
【発明が解決しようとする課題】
【０００５】
特許文献１示すように、操作者すなわちオペレータをログイン時に認証して、その者のアクセス権限を用いて、種々操作の安全を図る発明が多く存在する。この機能はオペレータが情報の読み出しよりも、むしろポイントデータへの書き込みのときに効果を奏するものである。
【０００６】
一方、各オペレータは自分が監視/運転に必要な設定を登録番号（または登録名称）で覚えておき情報の読みだし作業に用いたい要求がある。小規模なプラントであればオペレータの数や装置の数も少ないため運転上の問題はさほど発生しないが、大規模なプラントの場合にオペレータの数や監視操作装置の数も多くなるため、他のオペレータの情報と混同して、誤った情報を参照して運転をする可能性がある問題は解決しないままであった。
【０００７】
本願発明は、プラント運転用の操作監視装置に依存することなく、つまりどの監視操作装置に向かっても、普段の自分専用のデータベースを用いて、所望のオペレーションを実現することができる仕組みを実現する。
【課題を解決するための手段】
【０００８】
本願発明は、プラント運転に用いる監視操作装置であって、
前記監視操作装置に付随する定義データと、
オペレータごとに定義されたオペレータ専用データベース領域と、
前記オペレータをログイン認証する認証手段と、
前記認証されたオペレータの専用データベースを上位サーバーから前記オペレータ専用データベース領域に落し込むダウンロード手段と、
この落し込んだオペレータ専用データベースと前記監視操作装置または前記サーバーから読み出した前記監視操作装置に付随する定義データとを、定義日時を示すタイムスタンプによりそれらデータを比較する比較手段と、を備えて、
前記オペレータ専用データベースのタイムスタンプよりも前記監視操作装置に付随する定義データに新しいものがある場合に、前記オペレータに警告を表示することを特徴とする監視操作装置である。
【０００９】
さらに、この監視操作装置において、前記オペレータ専用データベースが更新された場合に、このオペレータ専用データベースを前記監視操作装置から前記サーバーに格納するアップロード手段を備える監視操作装置である。
【発明の効果】
【００１０】
本願発明によれば、オペレータが監視操作装置を意識することなく自分用の設定および最新の設定で運転できれば便利である。オペレータが運転で使用する監視操作装置は固定されていないことが多いので、どの場所に座っても常に同じ環境で運転ができ作業効率が上がる効果がある。
【００１１】
また、リンク先の情報が更新された場合は、装置や設備が変わった可能性があるため古い定義情報を使用すると誤操作や事故につながるため、オペレータにリンク先の更新が更新されたことを通知する。これらの情報は全てオペレータと紐づいているため、オペレータが任意の監視操作装置で操作を開始する際、生体認証装置等でオペレータを特定し、そのオペレータのお気に入り情報をサーバー（外部記憶装置等）からダウンロードまたアップロードして使用することができる。
【図面の簡単な説明】
【００１２】
【図１】本願発明にかかる制御システムの全体構成と監視操作装置の位置づけを示す図である。
【図２】本願発明の実施の形態にかかるオペレータ専用データベースの例示図である。
【図３】本願発明の実施の形態にかかる監視操作装置に付随する定義データの例示図である。
【図４】本願発明の監視操作装置とサーバー間、およびほかの監視操作装置との間の処理遷移を示すチャートである。
【発明を実施するための形態】
【００１３】
本願発明の実施の形態を以下、図面に基づいて説明する。まず、図１は、本願発明の実施にかかる制御システムの全体構成と監視操作装置の位置づけを示す。本システムは工場、建物その他のプラントの制御に資するシステムであって、上位にサーバー１があり、監視操作装置１０−１〜ｎは本願発明の要旨となるものである。これらはクライアントサーバーの構成をとり、さらにクラウドコンピューティングの形式でもよい。
【００１４】
フィールド機器の制御を行うコントローラ５が存在して、各種入出力機器（図外）に接続される。
【００１５】
これらサーバー１、監視操作装置１０、コントローラ５は通信ネットワークで接続される。図中、上位ネットワーク３および下位ネットワーク４として階層的に記載してあるが、上位下位の区別なくフラット、またはリング形態のネットワークであっても可能である。また、有線無線を問わない。
【００１６】
さて、監視操作装置１０の中身を一部記載してある。監視操作装置のノードに付随するものに定義データ１１がある。プラント設備のサブシステムに対応して監視操作装置は分散されることが多く、対象であるサブシステムに対応した種々の情報がストアされているものである。
【００１７】
監視操作装置１０の中には、オペレータ専用データベース格納領域１２が用意されている。或るオペレータが監視操作装置１０に着席して認証後にサーバー１から自己のいわゆる「お気に入り」データをダウンロードする領域である。
【００１８】
次に、監視操作装置１０には、オペレータの指紋、声紋、虹彩その他の生体認証を読み取るためのカメラ等の読み取り機器１３が備えられている。図中オペレータ９が読み取り機器１３へ近接してログインのときに生体認証が行われる。なお、生体認証に限らず、パスワード、ＩＣタグなどでの認証でもよいものである。
【００１９】
なお、認証手段、そのほかダウンロード手段、データベースの比較手段、およびアップロード手段はソフトウエアで実現されるので、それら機能は後述する。このように、監視操作装置はＰＣなどのコンピュータ機器で構成される。デスクトップ型、タブレット型を問わない。
【実施例】
【００２０】
本例では、図２にオペレータ専用データベース領域１２にストアされる或るオペレータのお気に入りデータベースの内容を示し、図３で監視操作装置に付随する定義データを監視操作装置１と３（ノード名称ＨＭＩ１とＨＭＩ３と称す）の内容を示す。
【００２１】
まず、図２のオペレータ専用データベースは、表形式で構成されている。
データＩＤは１、２、３、４、として順次整列し、当該データのリンク元情報はノード名称／グループ番号で記述されている。“／”は区切り記号である。
【００２２】
なお、本例は監視用のグループディスプレイの情報を形成するもので、包含するポイント名がそれぞれタグ＠パラメータ名で列記されて、最後に定義日時を示すタイムスタンプが付される。
タイムスタンプは、例えば、１９７０年１月１日からの秒数をカウントしたものであって、      「１０００００００００」  は２００１年９月９日１時４６分４０秒を、
「１４１１２４３５６０」  は２０１４年９月２０日２０時６分００秒を示す。
【００２３】
ＩＤ１では、ＨＭＩ３のノードのグループ１００をリンクしており、このＩＤ１に従って、ＨＭＩ３／グループ１００の情報を読み出す指定である。その内訳データポイントは、
Ａ１２３＠ＰＶ、Ｖ９９＠ＰＶなどのタグ＠パラメータを指示している。タイムスタンプは１０００００００００である。ＩＤ２では、ＨＭＩ１／グループ４をリンクし、タグ＠パラメータは図示のとおりである。以下のＩＤについては説明省略する。
【００２４】
次に図３において、ＨＭＩ１に付随する定義データを見ると、ここにはグループ１〜４までが記述されている。各グループの構成ポイントのタグ＠パラメータが列記されていて、さらにタイムスタンプが付される。これは定義日時を表しているもので、定義作業が終了してファイルに保存する時またはサーバーへアップロード時の日時がタイムスタンプに記録される。
ＨＭＩ２のものは飛ばして、ＨＭＩ３に付随する定義データを下段表に示している。
【００２５】
さて、或るオペレータがＣ氏であって、図１のようにＨＭＩ１の監視操作装置に近寄り、生体認証を受けログインできると、オペレータ専用データベースがサーバー１からお気に入り２−Ｃがダウンロードできる。ここで、オペレータＣ氏は図２にあるところの、自己お気に入りのグループ１ディスプレイを表示させようとする。そのとき、ＨＭＩ３／Ｇ１００から定義データを比較照合する。
すると、自己タイムスタンプは１０００００００００(図２)であって、ＨＭＩ３／Ｇ１００のタイムスタンプは１４１１２４３５６０（図３下段参照）であって、リンク元の定義データの方が新しいことがわかる。図２のＩＤの１に丸印を付けたのはこの意味である。
【００２６】
これは、設備環境の変化で監視操作装置ＨＭＩ３に付随する定義データが更新されていることを意味するので、このままオペレータＣ氏が運転監視を継続することには問題がある。よって、当該監視操作装置１０では画面上などにその旨の「警告」メッセージを表示する。なお、本画面とはＷｅｂブラウザと同等の機能を持つものと考えればイメージが容易だろう。
【００２７】
このほかＩＤ２以下は、リンク元情報（ＨＭＩ１／Ｇ４）と齟齬がない、またはオペレータ専用データベースの方のタイムスタンプが新しい場合には、設備環境等の更新はないと解釈して、オペレータは監視操作を進めることができる。
【００２８】
それでは次に、本願発明の実施例にかかる監視操作装置とサーバー間、およびほかの監視操作装置との間の処理遷移を示すチャートを図４で説明する。本例では、図１に示した通り、ＨＭＩ１の監視操作装置１０にオペレータ９がログインして運転作業に入るところから説明する。
【００２９】
まず、オペレータ９の生体認証が行われてログインする（図中ステップＳ１０）。これが認証手段の実行である。認証ＯＫでログインできたなら、サーバーへ当該オペレータＣ氏の専用データベースのダウンロード要求を行う（Ｓ１１）。応答が来る（Ｓ１２）と、お気に入り２−Ｃであるオペレータ専用データベースは監視操作装置１０にストアされる。以上が、ダウンロード手段の実行である。認証失敗またはダウンロード失敗などのエラーケースは省略したが、適宜リトライするなどすればよい。
【００３０】
次に、ステップＳ２０で、お気に入りの表示に入るが、本例ではグループ画面の表示処理になる。監視操作装置１０に付随する定義データをリンク元情報に従って各監視操作装置から取得する。なお、自ノードＨＭＩ１には自己の定義データを読めばよい。通信で接続された監視操作装置ＨＭＩ２，ＨＭＩ３へ要求（Ｓ２１，Ｓ２３）し、応答を受ける（Ｓ２２，Ｓ２４）。
【００３１】
そして、比較手段プログラムは、オペレータ専用データベースのＩＤを一つずつ、読み出した監視操作装置に付随する定義データをタイプスタンプで比較照合する。その結果、当該定義データの方が新しいタイプスタンプを有していたなら警告表示する（Ｓ３０）。これがデータの比較手段の実行である。ここで問題がなかった場合には、通常のグループ画面表示に移行してよい。または、警告を無視してグループ画面表示を実行するようにしてもよかろう。
【００３２】
最後に、図１に示したように監視操作装置１０−３（ＨＭＩ３）からオペレータ専用データベースをアップロードするステップをＨＭＩ３のＳ４０で示す。この装置において行われた或るオペレータの更新作業により、この監視操作装置からアップロード送信（Ｓ４１）で、オペレータ専用データベース（お気に入り）が更新されてサーバーに格納される。これがアップロード手段の実行である。
【００３３】
なお、本例では説明のために、監視操作装置１０の定義データベースは各々の監視操作装置に存在することで述べたが、必ずしも本例に拘泥する必要はなく、サーバー１にそれらも置かれていてもよく、本願発明の監視操作装置に付随する定義データベースはサーバーから適宜に読み出すことでもよい。
【符号の説明】
【００３４】
１    サーバー
２―Ａ〜Ｃ  オペレータ専用データベース（お気に入り）
３    上位ネットワーク
４    下位ネットワーク
５    コントローラ
９    オペレータ
１０−１〜ｎ  監視操作装置
１１  監視操作装置に付随する定義データ
１２  オペレータ専用データベース領域
１３  生体認証機器
【図１】
2016081268.tif 000003
【図２】
2016081268.tif 000004
【図３】
2016081268.tif 000005
【図４】
2016081268.tif 000006